(57)【要約】【課題】セキュリティコードが付加された原稿について、機密性を確保しながら、正規ユーザが前記原稿を探し出す手間をなくし、効率よく印字が行える画像処理装置及び画像処理方法を提供する。【解決手段】セキュリティコードが付加された原稿を含む１枚または複数枚の原稿Ｍの画像を読み取るスキャナ手段４と、読み取られた原稿の画像データを記憶する記憶手段６と、原稿Ｍに付加されたセキュリティコードＮを検出する検出手段１５を備えている。前記セキュリティコードＮが検出された場合、表示手段５２の画面上に、その原稿の画像データのサムネイル８１とパスワード入力指示８２を表示する。そして、ユーザにより入力されたパスワードが適正である場合には、前記サムネイル表示された画像データを出力手段７が印字する。【選択図】  図４
2008048368.tif 000002
【特許請求の範囲】
【請求項１】
セキュリティコードが付加された原稿を含む１枚または複数枚の原稿の画像を読み取るスキャナ手段と、
前記スキャナ手段により読み取られた原稿の画像データを記憶する記憶手段と、
前記原稿に付加されたセキュリティコードを検出する検出手段と、
前記セキュリティコードが検出された場合、その原稿の画像データのサムネイルとパスワード入力指示を表示する表示手段と、
ユーザにより入力されたパスワードが適正である場合には、前記サムネイル表示された画像データを印字する出力手段と、
を備えていることを特徴とする画像処理装置。
【請求項２】
前記原稿にはセキュリティコード付きの原稿が複数枚含まれ、
セキュリティコードが検出された原稿全てについて、入力されたパスワードが適正である場合に、前記出力手段は画像データの印字を開始する請求項１に記載の画像処理装置。
【請求項３】
セキュリティコードが付加されている原稿と付加されていない原稿が混在した複数枚の原稿の画像を読み取るスキャナ手段と、
前記スキャナ手段により読み取られた各原稿の画像データを記憶する記憶手段と、
前記スキャナ手段により読み取られた原稿に付加されたセキュリティコードを、原稿毎に検出する検出手段と、
前記複数の原稿の画像データを順次印字する際、セキュリティコードが付加された原稿の画像データの出力ページは白紙で出力する出力手段と、
前記出力手段による印字後、前記セキュリティコードが検出された原稿について、その画像データのサムネイルとパスワード入力指示を表示する表示手段と、
を備え、
前記出力手段は、ユーザにより入力されたパスワードが適正である場合には、前記サムネイル表示された画像データを印字することを特徴とする画像処理装置。
【請求項４】
セキュリティコードが付加された原稿を含む１枚または複数枚の原稿の画像を読み取るステップと、
前記読み取られた原稿の画像データを記憶するステップと、
前記原稿に付加されたセキュリティコードを検出するステップと、
前記セキュリティコードが検出された場合、その原稿の画像データのサムネイルとパスワード入力指示を表示するステップと、
ユーザにより入力されたパスワードが適正である場合には、前記サムネイル表示された画像データを印字するステップと、
を備えていることを特徴とする画像処理方法。
【請求項５】
前記原稿にはセキュリティコード付きの原稿が複数枚含まれ、
セキュリティコードが検出された原稿全てについて、入力されたパスワードが適正である場合に、前記印字ステップでは画像データの印字を開始する請求項４に記載の画像処理方法。
【請求項６】
セキュリティコードが付加されている原稿と付加されていない原稿が混在した複数枚の原稿の画像を読み取るステップと、
前記読み取られた各原稿の画像データを記憶するステップと、
前記読み取られた原稿に付加されたセキュリティコードを、原稿毎に検出するステップと、
前記複数の原稿の画像データを順次印字する際、セキュリティコードが付加された原稿の画像データの出力ページは白紙で出力するステップと、
前記印字後、前記セキュリティコードが検出された原稿について、その画像データのサムネイルとパスワード入力指示を表示するステップと、
ユーザにより入力されたパスワードが適正である場合には、前記サムネイル表示された画像データを印字するステップと、
を備えたことを特徴とする画像処理方法。
【発明の詳細な説明】
【技術分野】
【０００１】
この発明は、機密文書などのコピーを管理可能なＭＦＰ（（Multi Function Peripherals) などに適用される画像処理装置に関する。
【背景技術】
【０００２】
例えば、機密保持の必要のある原稿を取り扱う場合、他人が勝手にコピーできないように、原稿の作成者や管理者が原稿画像に地紋などのセキュリティコードを付加して、コピー禁止原稿とすることが行われている。
【０００３】
そして、ＭＦＰのような画像処理装置を使って、原稿作成者等の正規ユーザがコピー禁止原稿をコピーする場合には、正規ユーザがパスワード入力して認証が成功すれば、その原稿のコピーを実行できるようになっている。
【０００４】
また、従来より、原稿のページの属性情報を検出し、属性情報から禁止原稿がある場合には、空白画像（白紙）にしたり、詰めて印字するようにした技術が開示されている（例えば、特許文献１参照）。
【特許文献１】特開２００５−１５１１４９号公報
【発明の開示】
【発明が解決しようとする課題】
【０００５】
しかし、従来では、複数の原稿の中にコピー禁止原稿が混在している場合には、全部の原稿のコピー終了後に、正規ユーザがコピーできなった対象の原稿を探し、見つけ出した対象原稿について、再度、原稿台にセットしてからパスワード入力を行い、コピー操作しなければならないので、非常に手間がかかるという問題があった。
【０００６】
また、上記特許文献１に記載された技術においては、禁止原稿がある場合には、空白画像（白紙）にすることによって、その原稿画像に機密性が保持されるが、正規ユーザがその原稿画像を印字したい場合には、従来と同様にその禁止原稿を探し出して画像を確認し、再度、原稿台にセットしてからパスワード入力を行い、コピー操作しなければならず、やはり手間がかかることになる。
【０００７】
この発明は、上記実情に鑑みてなされたものであり、セキュリティコードが付加された原稿について、機密性を確保しながら、正規ユーザが前記原稿を探し出す手間をなくし、効率よく印字が行える画像処理装置及び画像処理方法を提供することを課題とする。
【課題を解決するための手段】
【０００８】
上記課題は、以下の手段によって解決される。
（１）セキュリティコードが付加された原稿を含む１枚または複数枚の原稿の画像を読み取るスキャナ手段と、前記スキャナ手段により読み取られた原稿の画像データを記憶する記憶手段と、前記原稿に付加されたセキュリティコードを検出する検出手段と、前記セキュリティコードが検出された場合、その原稿の画像データのサムネイルとパスワード入力指示を表示する表示手段と、ユーザにより入力されたパスワードが適正である場合には、前記サムネイル表示された画像データを印字する出力手段と、を備えていることを特徴とする画像処理装置。
（２）前記原稿にはセキュリティコード付きの原稿が複数枚含まれ、セキュリティコードが検出された原稿全てについて、入力されたパスワードが適正である場合に、前記出力手段は画像データの印字を開始する請求項１に記載の画像処理装置。
（３）セキュリティコードが付加されている原稿と付加されていない原稿が混在した複数枚の原稿の画像を読み取るスキャナ手段と、前記スキャナ手段により読み取られた各原稿の画像データを記憶する記憶手段と、前記スキャナ手段により読み取られた原稿に付加されたセキュリティコードを、原稿毎に検出する検出手段と、前記複数の原稿の画像データを順次印字する際、セキュリティコードが付加された原稿の画像データの出力ページは白紙で出力する出力手段と、前記出力手段による印字後、前記セキュリティコードが検出された原稿について、その画像データのサムネイルとパスワード入力指示を表示する表示手段と、を備え、前記出力手段は、ユーザにより入力されたパスワードが適正である場合には、前記サムネイル表示された画像データを印字することを特徴とする画像処理装置。
（４）セキュリティコードが付加された原稿を含む１枚または複数枚の原稿の画像を読み取るステップと、前記読み取られた原稿の画像データを記憶するステップと、前記原稿に付加されたセキュリティコードを検出するステップと、前記セキュリティコードが検出された場合、その原稿の画像データのサムネイルとパスワード入力指示を表示するステップと、ユーザにより入力されたパスワードが適正である場合には、前記サムネイル表示された画像データを印字するステップと、を備えていることを特徴とする画像処理方法。
（５）前記原稿にはセキュリティコード付きの原稿が複数枚含まれ、セキュリティコードが検出された原稿全てについて、入力されたパスワードが適正である場合に、前記印字ステップでは画像データの印字を開始する請求項４に記載の画像処理方法。
（６）セキュリティコードが付加されている原稿と付加されていない原稿が混在した複数枚の原稿の画像を読み取るステップと、前記読み取られた各原稿の画像データを記憶するステップと、前記読み取られた原稿に付加されたセキュリティコードを、原稿毎に検出するステップと、前記複数の原稿の画像データを順次印字する際、セキュリティコードが付加された原稿の画像データの出力ページは白紙で出力するステップと、前記印字後、前記セキュリティコードが検出された原稿について、その画像データのサムネイルとパスワード入力指示を表示するステップと、ユーザにより入力されたパスワードが適正である場合には、前記サムネイル表示された画像データを印字するステップと、を備えたことを特徴とする画像処理方法。
【発明の効果】
【０００９】
前項（１）に記載の発明によれば、スキャナ手段で読み取られた原稿に付加されたセキュリティコードが検出された場合には、表示手段にその原稿の画像データのサムネイルとパスワード入力指示が表示されるから、セキュリティコード付き原稿とそうでない原稿が混在していても、従来のように、印字が終了した後に再度、正規ユーザが自分のセキュリティコード付き原稿を探したり、見つけた原稿を再度読み取らせたりしなくても、ユーザは画面上のサムネイルから直ぐに自分の画像データを確認でき、そのままパスワードを入力するだけで、その原稿のコピーを行うことができる。しかも、入力されたパスワードが適正でなければ、そのサムネイル表示された画像データの印字は行われないから、セキュリティコード付原稿の機密性を確保することができる。
【００１０】
前項（２）に記載の発明によれば、セキュリティコードが検出された複数枚の原稿全てについて、入力されたパスワードが適正である場合に、画像データの印字が開始されるから、セキュリティコード付き原稿についての機密性をさらに高めることができる。
【００１１】
前項（３）に記載の発明によれば、セキュリティコードが付加されている原稿と付加されていない原稿が混在した複数枚の原稿について、セキュリティコードが付加されている原稿の画像データについては白紙にした状態で、まず印字がなされ、その後、セキュリティコードが検出された原稿について、その画像データのサムネイルとパスワード入力指示を表示し、ユーザにより入力されたパスワードが適正である場合には、前記サムネイル表示された画像データが印字される。このため、セキュリティコード付き原稿とそうでない原稿が混在していても、従来のように、印字が終了した後に再度、正規ユーザが自分のセキュリティコード付き原稿を探したり、見つけた原稿を再度読み取らせたりしなくても、ユーザはサムネイルから直ぐに自分の画像データを確認でき、そのままパスワードを入力するだけで、その原稿のコピーを行うことができる。
【００１２】
しかも、セキュリティコード付き原稿の印字前に、セキュリティコードが付加されていない原稿のコピーが行われるから、セキュリティコードが付加されていない原稿のコピーが必要なユーザにとっては便利であるし、セキュリティコード付き原稿については白紙で出力されるため、機密性を確保することができる。
【００１３】
前項（４）に記載の発明によれば、セキュリティコード付き原稿とそうでない原稿が混在していても、従来のように、印字が終了した後に再度、正規ユーザが自分のセキュリティコード付き原稿を探したり、見つけた原稿を再度読み取らせたりしなくても、ユーザは画面上のサムネイルから直ぐに自分の画像データを確認でき、そのままパスワードを入力するだけで、その原稿のコピーを行うことができる。
【００１４】
前項（５）に記載の発明によれば、セキュリティコード付き原稿についての機密性をさらに高めることができる。
【００１５】
前項（６）に記載の発明によれば、セキュリティコード付き原稿とそうでない原稿が混在していても、従来のように、印字が終了した後に再度、正規ユーザが自分のセキュリティコード付き原稿を探したり、見つけた原稿を再度読み取らせたりしなくても、ユーザはサムネイルから直ぐに自分の画像データを確認でき、そのままパスワードを入力するだけで、その原稿のコピーを行うことができる。しかも、セキュリティコード付き原稿の印字前に、セキュリティコードが付加されていない原稿のコピーが行われるから、セキュリティコードが付加されていない原稿のコピーが必要なユーザにとっては便利である。
【発明を実施するための最良の形態】
【００１６】
以下、この発明の一実施形態を図面に基づいて説明する。
【００１７】
図１は、この発明の一実施形態に係る画像処理装置が適用されたＭＦＰの電気的構成を示すブロック図である。
【００１８】
図１において、このＭＦＰは、ＣＰＵ１と、ＲＯＭ２と、ＲＡＭ３と、スキャナ部４と、操作パネル部５と、記憶部６と、印字部７と、セキュリティコード検出部１５とを備えている。
【００１９】
ＣＰＵ１は、装置の全体を統括制御する他に、この実施形態では、セキュリティコード検出部１５によって原稿のセキュリティコードが検出された場合、操作パネル部５における表示部５２（図４に示す）の画面上に、その原稿の画像データのサムネイルとパスワード入力指示を表示させたり、前記パスワード入力指示に基づいてユーザにより入力されたパスワードが適正である場合には、前記サムネイル表示された画像データを印字部７に印字させる制御も行う。
【００２０】
ＲＯＭ２は、ＣＰＵ１の動作プログラムを格納するメモリであり、また、ＲＡＭ３はＣＰＵ１の動作領域を提供するメモリである。
【００２１】
スキャナ部４は、図示しない原稿台上にセットされる原稿（図３に示す）Ｍの画像Ｐを読み取るものであり、読み取りにより得られた画像データを出力する。
【００２２】
操作パネル５は、図４に示すように、各種入力操作などに使用するキー部５１と、ＬＣＤなどからなる表示部５２とを備えている。表示部５２は、タッチパネルなどで構成してもい。
【００２３】
この表示部５２の画面Ｄ１には、前記原稿Ｍに付加されたセキュリティコードＮ（図３に示す）が検出された際に、ユーザに対して、図４に示すように、画像データのサムネイル８１が表示されるとともに、パスワード入力指示８２が表示されるものとなされている。
【００２４】
記憶部６は、各種データやプログラムを記憶するものであり、例えばハードディスクなどが使用される。この記憶部６には、前記スキャナ部４で読み取った原稿の画像データも記憶される。
【００２５】
印字部７は、図２に示すように、読み取った画像データに対して所定の処理を施す画像処理部１１，１２，１４などを含み、画像データを所定のジョブ条件に従って印字するものである。
【００２６】
セキュリティコード検出部１５は、原稿Ｍに付加されたセキュリティコードＮを検出するものである。
【００２７】
セキュリティコードＮは、例えば、画像の背景としての地紋からなる。勿論、セキュリティコードとしては、地紋以外の例えば無線ＩＣチップなどに埋め込まれたものであってもよい。従って、前記セキュリティコード検出部１５の構成も、そのセキュリティコードＮの形態に応じたものが採用される。
【００２８】
図２は、画像データの流れに基づいたＭＦＰの機能的構成を示す図である。
【００２９】
図２において、前記スキャナ部４により読み取ったＲＧＢ画像データが第１のスキャナ画像処理部１１に入力される。第１のスキャナ画像処理部１では、入力された画像データに対して、シェーディン補正、ライン間補正、色収差補正などを行う。
【００３０】
第１のスキャナ画像処理部１１で処理された画像データは、第２のスキャナ画像処理部１２に入力される。第２のスキャナ画像処理部１２では、画像データに対して、解像度変換、下地飛ばし処理、領域判別、ＲＧＢからＹＭＣＫへの変換処理、文字エッジ補正、誤差拡散などを行う。
【００３１】
第２のスキャナ画像処理部２で処理された画像データは、コントローラ部１３に入力される。コントローラ部１３では、画像データに対して、圧縮、伸張処理を行う。
【００３２】
コントローラ部１３を経た画像データは、プリンタ画像処理部１４に入力される。プリンタ画像処理部１４では、プリントされる画像データに対して画像補正、イメージ合成（セキュリティ地紋打ち込み処理）、スクリーン処理等の処理を行う。そして、画像データ（Ｒ，Ｇ，Ｂ）は、属性情報が付加された状態で出力される。
【００３３】
なお、前記イメージ合成処理は、セキュリティコードを示す地紋を付加するための処理であり、セキュリティ地紋発生部１６により生成された地紋Ｎが、スキャナ部４で読み込まれた画像データに付加される。具体的には、図３に示すように、画像Ｐの背景として付加される。
【００３４】
一方、第１のスキャナ画像処理部１で処理された画像データは、セキュリティコード検出部１５であるセキュリティ地紋検出部にも入力される。セキュリティ地紋検出部１５では、前記第１のスキャナ画像処理部１を経た画像データに対して、セクリュティコードである地紋Ｎを検出するものであり、解像度変換、前処理、コード検出、コード解析などの各処理がＣＰＵ１による制御のもとで実行され、セキュリティコード（地紋）Ｎが検出される。
【００３５】
次に、上記構成のＭＦＰによる印字処理の動作を図４を参照して説明する。
【００３６】
図４において、複数ページ例えば全部で６ページ（Ｎｏ１〜Ｎｏ６）の原稿Ｍのうち、例えば２ページ目（Ｎｏ２）と５ページ目（Ｎｏ５）の原稿ＭにセキュリティコードＮが付加されているものとする。
【００３７】
これらＮｏ１〜Ｎｏ６の原稿Ｍは、順次、スキャナ部４で読み取られるとともに、読み取られた原稿の画像データは記憶部６に記憶されるが、セキュリティコードＮが付加された２ページ目と５ページ目の原稿Ｍについては、それぞれ読み取られた後で動作が一時停止されて待機状態になる。
【００３８】
そして、２ページ目と５ページ目の原稿Ｍの画像データに関して、操作パネル５の表示部５２の画面Ｄ１には、ユーザに対してパスワードの入力指示８２と対象画像のサムネイル８１とが表示され、ユーザによるパスワード待ちとなる。
【００３９】
ユーザによりパスワードが入力され、これが適正なものであると判定された時点で、印字が許可され、その画像データが記憶部６に記憶される。
【００４０】
また、セキュリティコードＮが付加されていない１ページ目、３ページ目、４ページ目、６ページ目の原稿Ｍの画像データは、そのまま印字が許可され、読み取られた画像データはそのまま記憶部６に記憶される。
【００４１】
このように、セキュリティコードＮ付きの原稿Ｍについては、表示部５２の画面Ｄ１上にその画像データのサムネイル８１とパスワード入力指示８２が表示されるから、従来のように、印字が終了した後に、再度、ユーザが自分のセキュリティコード付き原稿を探したり、見つけた原稿を再度、スキャナ部４に読み取らせたりする手間が省ける。つまり、ユーザが画面Ｄ１上のサムネイルから直ぐに自分の画像データを確認でき、そのままパスワードを入力するだけ、簡単にその画像データの印字が行える。
【００４２】
次に、図４で説明したＭＦＰによる印字処理を、図５のフローチャートを参照してさらに説明する。
【００４３】
図５において、ステップＳ１では、ＭＦＰのメインスイッチがＯＮされ、その後、ステップＳ２では、初期化が行われる。
【００４４】
ステップＳ３では、原稿給紙装置（原稿台）に原稿Ｍがセットされたか否かを判断し、原稿Ｍがセットされていなれば（ステップＳ３でＮＯ）、原稿Ｍがセットされるのを待つ。原稿Ｍがセットされると（ステップＳ３でＹＥＳ）、ステップＳ４では、スタートキーがＯＮされたか否かを判断する。
【００４５】
スタートキーがＯＮされていなければ（ステップＳ４でＮＯ）、ＯＮされるのを待ち、スタートキーがＯＮされると（ステップＳ４でＹＥＳ）、ステップＳ５では、原稿Ｍの画像がスキャナ部４で読み取られる。
【００４６】
次いでステップＳ６では、読み取った原稿についてセキュリティコードＮの検出を行う。ステップＳ７では、セキュリティコードＮが検出された否かを判断し、セキュリティコードＮが検出されなければ（ステップＳ７でＮＯ）、ステップＳ８では、読み取り画像データを記憶部（メモリ）６に記憶させてから、ステップＳ９に進む。
【００４７】
セキュリティコードＮが検出されると（ステップＳ７でＹＥＳ）、ステップＳ１１では、その原稿の画像のサムネイル８１とユーザに対するパスワード入力指示８２を表示した画面Ｄ１を表示部５２に表示する。
【００４８】
ステップＳ１２では、ユーザによりパスワードが入力されたか否かを判断し、パスワードが入力されなければ（ステップＳ１２でＮＯ）、入力されるまで待つ。パスワードが入力されると（ステップＳ１２でＹＥＳ）、ステップＳ１３では、入力されたパスワードがその原稿の画像に付されたパスワードと一致するか否か、つまりパスワードが適正であるか否かを判断する。
【００４９】
入力されたパスワードが適正でなければ（ステップＳ１３でＮＯ）、ステップＳ１２に戻ってパスワードの再入力を待ち、入力されたパスワードが適正であれば（ステップＳ１３でＹＥＳ）、印字が許可されてステップＳ８に進み、読み取り画像データをメモリ６に記憶させる。
【００５０】
次いで、ステップＳ９で、次の原稿Ｍがあるか否かを判断し、次の原稿Ｍがあれば（ステップＳ９でＹＥＳ）、ステップＳ５に戻って、再度、原稿の画像の読み取りを行う。次の原稿Ｍがなければ（ステップＳ９でＮＯ）、ステップＳ１０では、原稿Ｍの画像データを順次印字してから、終了する。
【００５１】
図５のフローチャートから理解されるように、セキュリティコードが付加された原稿のうちの１枚についてパスワードが適正でなければ（ステップＳ１３でＹＥＳ）、ステップＳ８には進まないから、セキュリティコードが検出された原稿全てについて、入力されたパスワードが適正である場合にのみ、ステップＳ８に進むことができ、ひいては画像データの印字を開始することができる。このため、セキュリティコード付き原稿についての機密性をさらに高めることができる。
【００５２】
なお、セキュリティコード付きの原稿の全てについてパスワードが適正である場合にのみ印刷が行われる構成ではなく、セキュリティコードが検出された原稿について、入力されたパスワードが適正であればその画像データの印字を許可し、適正でなければ印字を許可しない構成としても良いのは勿論である。
【００５３】
図６は、この発明の他の実施形態を示す。
【００５４】
図６において、複数ページ例えば全部で６ページの（Ｎｏ１〜Ｎｏ６）の原稿Ｍのうち、例えば２ページ目（Ｎｏ２）と５ページ目（Ｎｏ５）の原稿ＭにセキュリティコードＮが付加されているものとする。
【００５５】
この実施形態では、各原稿の画像をスキャナ部４で読み取るとともに、読み取り後に、印字部７により順に印字する。この際、セキュリティコードＮが付加されている２ページ目と５ページ目の原稿Ｍについては、それぞれ白紙を出力し、それ以外の１ページ目、３ページ目、４ページ目、６ページ目の原稿Ｍの画像データは、通常の印字動作を行う。
【００５６】
すべての印字が完了後、セキュリティコードＮが付加されている２ページ目と５ページ目の原稿Ｍの画像データのサムネイル８１と、ユーザに対するパスワードの入力指示８２を表示部５２に表示し、パスワードが正確に入力された場合のみ、対象の画像を印字する。
【００５７】
このように、まず全ての原稿について印字がなされるから、セキュリティコードが付加されていない原稿のコピーが必要なユーザにとっては便利であるし、セキュリティコード付き原稿については白紙で出力されるため、機密性を確保することができる。
【００５８】
また、セキュリティコードが付加されている２ページ目と５ページ目の原稿Ｍについては、画面上にその画像データのサムネイル８１とパスワード入力指示８２が表示されるから、ユーザは画面上のサムネイルから自分の画像データを確認でき、そのままパスワードを入力するだけで、その原稿のコピーを行うことができる。
【００５９】
次に、図６に示した印字処理を図７のフローチャートを参照して説明する。
【００６０】
図７において、ステップＳ２１ではメインスイッチがＯＮされ、その後、ステップＳ２２では初期化が行われる。
【００６１】
ステップＳ２３では、原稿給紙装置（原稿台）に原稿Ｍがセットされたか否かを判断し、原稿Ｍがセットされていなれば（ステップＳ２３でＮＯ）、原稿Ｍがセットされるのを待つ。
【００６２】
原稿Ｍがセットされると（ステップＳ２３でＹＥＳ）、ステップＳ２４では、スタートキーがＯＮされたか否かを判断する。
【００６３】
スタートキーがＯＮされていなければ（ステップＳ２４でＮＯ）、ＯＮされるのを待ち、スタートキーがＯＮされると（ステップＳ２４でＹＥＳ）、ステップＳ２５では、原稿Ｍの画像が読み取られる。
【００６４】
次に、ステップＳ２６で、読み取った原稿についてセキュリティコードＮの検出を行う。ステップＳ２７では、セキュリティコードＮが検出された否かを判断し、セキュリティコードＮが検出されなければ（ステップＳ２７でＮＯ）、そのままステップＳ２８で、読み取り画像データを記憶部６に記憶させてから、ステップＳ２９に進む。
【００６５】
セキュリティコードＮが検出されると（ステップＳ２７でＹＥＳ）、ステップＳ３９でセキュリティフラグ”１”を立てたのち、ステップＳ２８に進んで読み取り画像データをメモリ６に記憶させ、ステップＳ２９に進む。
【００６６】
ステップＳ２９では、次の原稿Ｍがあるか否かを判断し、次の原稿Ｍがあれば（ステップＳ２９でＹＥＳ）、ステップＳ２５に戻って、再度、画像の読み取りを開始する。
【００６７】
次の原稿Ｍがなければ（ステップＳ２９でＮＯ）、ステップＳ３０では、記憶部６から画像データを読み出し、ステップＳ３１では、セキュリティフラグが”１”か否か、つまり、セキュリティコードが付加された画像が読み出されたか否かを判断する。
【００６８】
セキュリティコードが付加された画像が読み出されていなければ（ステップＳ３１でＮＯ）、ステップＳ３２で読み出された画像データを印字したのち、ステップＳ３３に進む。セキュリティフラグが”１”、つまりセキュリティコードが付加された画像が読み出された場合（ステップＳ３１でＹＥＳ）、ステップＳ４０で白紙を出力したのち、ステップＳ３３に進む。
【００６９】
ステップＳ３３では、次の画像データがあるか否かを判断し、もし、次の画像データがあれば（ステップＳ３３でＹＥＳ）、ステップＳ３０に戻って、記憶部６からの画像データの読み出しと印字を繰り返し行う。
【００７０】
次の画像データがなければ（ステップＳ３３でＮＯ）、ステップＳ３４に進み、セキュリティフラグが立っている画像のサムネイル８１と、ユーザに対するパスワード入力指示８２を表示した画面Ｄ１を、表示部５２に表示する。
【００７１】
ステップＳ３５では、ユーザによりパスワードが入力されたか否かを判断し、パスワードが入力されなければ（ステップＳ３５でＮＯ）、パスワードが入力されるのを待ち、パスワードが入力されれば（ステップＳ３５でＹＥＳ）、ステップＳ３６では、パスワードが適正か否かを判断する。
【００７２】
入力されたパスワードが適正でなければ（ステップＳ３６でＮＯ）ステップＳ３５に戻って、再度パスワードが入力されるのを待つ。入力されたパスワードが適正であれば（ステップＳ３６でＹＥＳ）、ステップＳ３７では、対応する画像データを印字する。
【００７３】
この後、ステップＳ３８では、次のパスワード入力対象の画像データあるか否か（つまり、まだパスワード入力対象の画像データが残っているか否か）を判断し、パスワード入力対象の画像データがあれば（ステップＳ３８でＹＥＳ）、ステップＳ３４に戻って、再度、対象画像のサムネイル８１と、パスワード入力指示８２を表示する。パスワード入力対象の画像データがなければ（ステップＳ３８でＮＯ）、処理を終了する。
【図面の簡単な説明】
【００７４】
【図１】この発明の一実施形態に係る画像処理装置が適用されたＭＦＰの電気的構成を示すブロック図である。
【図２】画像データの流れに基づくＭＦＰの機能的構成図である。
【図３】セキュリティコードが付加された原稿を示す図である。
【図４】セキュリティコードが付加された原稿の印字処理状況の説明図である。
【図５】読み取り画像の処理の流れを示すフローチャートである。
【図６】この発明の他の実施形態を示すもので、セキュリティコードが付加された原稿の印字処理状況の説明図である。
【図７】他の実施形態における読み取り画像の処理の流れを示すフローチャートである。
【符号の説明】
【００７５】
１        ＣＰＵ
４        スキャナ部
６        記憶部
１５      セキュリティコード検出部
５２      表示部
Ｄ１      表示画面
Ｍ        原稿
Ｎ        セキュリティコード
Ｐ        画像
【図１】
2008048368.tif 000003
【図２】
2008048368.tif 000004
【図３】
2008048368.tif 000005
【図４】
2008048368.tif 000006
【図５】
2008048368.tif 000007
【図６】
2008048368.tif 000008
【図７】
2008048368.tif 000009